(57)【要約】【課題】リスニング装置において、再生データが正しくリスナーに対して再生しているか検証をする方法がない。そのような中、センター試験にリスニング装置を用いる試験が付加し、装置の不具合による課題も多い。【解決手段】リスニング装置のスピーカの近傍にマイクを設けることにより、リスナーに対して正しく再生しているかどうかの検証をする、また再生信号に予め人には聞こえにくいパイロット信号を付け加えて再生状態を検証する。【選択図】図１
2007208321.tif 000002
【特許請求の範囲】
【請求項１】
記録媒体に予め記録された音声データをヘッドホンで再生する装置であって、前記ヘッドホン内のスピーカユニットから発せられた音を集音することができるマイクを前記ヘッドホン内に備え、前記音声データを再生中に前記マイクからの信号を増幅して記録媒体に記録することを特徴とするリスニング装置。
【請求項２】
前記マイクからの信号を、あらかじめ音声データの記録された記録媒体と同一の記録媒体に記録することを特徴とする請求項１のリスニング装置。
【請求項３】
前記マイクからの信号を、あらかじめ音声データの記録された記録媒体と同一の記録媒体に記録するとき、あらかじめ記録されている音声データに上書き記録することを特徴とする請求項２のリスニング装置。
【請求項４】
記録媒体に予め記録された音声データをヘッドホンで再生する装置であって、前記ヘッドホン内のスピーカユニットから発せられた音を集音することができるマイクを前記ヘッドホン内に備え、前記音声データを再生中に前記マイクからの信号を増幅して再生中の音声データと比較する機能を有し、前記比較機能の比較結果を記録媒体に記録することを特徴とするリスニング装置。
【請求項５】
記録媒体に予め記録された音声データをヘッドホンで再生する装置であって、前記ヘッドホン内のスピーカユニットから発せられた音を集音することができるマイクを前記ヘッドホン内に備え、前記音声データは人の耳に聞こえにくいパイロット信号を重ねておき、前記音声データを再生中に前記マイクからの信号を増幅して再生中の音声データの中からパイロット信号を抜き出すパイロット信号抽出機能を有し、前記パイロット信号抽出機能の抽出結果を記録媒体に記録することを特徴とするリスニング装置。
【請求項６】
音声データの再生中に前記比較結果が不一致を示すとき、異常が有ったとみなし、異常があったことを保持する機能を有することを特徴とした請求項４のリスニング装置。
【請求項７】
音声データの再生中に前記パイロット信号が検出されなかったとき、異常が有ったとみなし、異常があったことを状態を保持する機能を有することを特徴とした請求項５のリスニング装置。
【請求項８】
異常が保持された場合、ランプを点灯させることを特徴とする、請求項６、請求項７のリスニング装置。
【請求項９】
記録媒体にはあらかじめ異常を知らせる音声メッセージデータも記録しておき、異常が保持された場合、前記異常を知らせる音声メッセージデータを選択して再生することを特徴とする、請求項６、請求項７のリスニング装置。
【発明の詳細な説明】
【技術分野】
【０００１】
本発明は、リスニング装置に関するものであって、再生データが正しく再生できているかを検証するものである。
【背景技術】
【０００２】
従来より、外国語の聞き取り能力向上のための自習用教材として、リスニング装置が用いられている。また、近年は外国語の聞き取り能力を検査する試験にも用いられ、具体的にはセンター試験にも導入されている。
センター試験に使用されているにもかかわらず、リスニング装置の不具合も多く、また、受験生が使用している状態では不具合があるかどうかの検証もできないのが現状である。
【０００３】
また特にセンター試験等で使用するときには、リスニング装置が正常に動作しているかを試験監督者が常にモニターできる必要があるが、現状ではそのような機能は付いていない。
【０００４】
この改善策として、リスニング装置の動作状態を、リスナー以外の第三者に知らせる機能を付加することである。センター試験にリスニング装置を使った試験を付加したのは今年度からであり、前記課題を解決する技術は未だ存在しない。
【発明の開示】
【発明が解決しようとする課題】
【０００５】
解決しようとする問題点は、リスナーがリスニング装置を使っている状態で、第三者がリスニング装置が正常に稼動しているかどうかを判断できるようにすることと、リスナーにも稼動状態が明確に判断できるようにすることである。
【課題を解決するための手段】
【０００６】
本発明は、記録媒体に予め記録された音声データをヘッドホンで再生する装置であって、前記ヘッドホン内のスピーカユニットから発せられた音を集音することができるマイクを前記ヘッドホン内に備え、前記音声データを再生中に前記マイクからの信号を増幅して記録媒体に記録することを可能としたことである。
【発明の効果】
【０００７】
この発明によれば、ヘッドホン内で放射された音波の状態を、記録媒体に記録されたデータによって知ることができるため、例えば本発明の装置をリスニング試験に用いるとき、試験中に再生がうまくなされなかった旨の申告がなされたときに、装置の故障であるのか、虚偽の申告をしているか第三者が把握することができる。また、本発明に係るリスニング装置によれば、リスニング後に再生状態を把握できることをリスニング前に公表して開始すれば、虚偽の申告を抑制する効果が期待できる。また、本発明ではリスニング中の再生状態をリアルタイムに検知して異常が起きたときに「異常が発生した」ことを保持するようになされる。さらに本発明では、前記保持された「異常が発生した」情報を利用し、異常を知らせるランプの点灯や、異常状態が起きた事を知らせる専用のアナウンス音声を流すので、試験官および受験者ともに異常が発生したことをリアルタイムで知ることできるので、時間の経過を伴うことなく両者で適切な対処が可能となる。
【実施例１】
【０００８】
以下、本発明の実施の形態を図面を参照して説明する。図１は、この発明の一実施の形態に係るリスニング装置を示す図である。図１を参照して、この発明の一実施の形態においては、ヘッドホン１のイヤーパッド内にスピーカユニット２とイヤーパッド内に放射された音波を検出するためのマイク３を設け、リスニング用の音声データが再生データとしてあらかじめ記録されている再生用記録媒体又は不揮発性メモリ７は（以下、再生用記録媒体）、再生信号処理８により制御されて、再生データが読み出される。読み出された再生データは、再生信号処理８によってアナログ音声信号へ変換され、スピーカアンプ９に入力される。スピーカアンプ９はアナログ音声信号を増幅してスピーカ２を駆動するため、ヘッドホン１のイヤーパッドは音波で満たされる。イヤーパッド内の音波は、マイク３を駆動しマイク３の出力に信号を得る。マイク３の出力は、左右反対側のマイクとともに、２チャネルマイクアンプ４に入力され増幅される。増幅された音声信号は記録信号処理５に入力され記録データへ変換される。記録信号処理５は、記録用記録媒体又は不揮発性メモリ６（以下、記録用記録媒体）へ接続されており、記録用記録媒体６を制御し記録データを記録用記録媒体６に書き込む。このように本実施例では、再生用記録媒体７にあらかじめ記録されている再生データをヘッドホン１で再生するとき、ヘッドホン１でどのように音波が再生されたかを、記録データに変換して記録用記録媒体６に記録し保存することが可能になり、第三者が再生状態を後で知ることができるようになる。しかしながら、ここでは、記録媒体を２個搭載する必要がありコストがかかる。
【実施例２】
【０００９】
図２は、本発明の第２の実施の形態に係る図である。図２を参照して、記録媒体を、記録と再生の両機能を持つ録再用記録媒体又は不揮発性メモリ１０（以下、録再用記録媒体）とする。録再用記録媒体１０は、第１の実施例と同じように、再生信号処理８と記録信号処理５に制御される。第１の実施例との違いは記録媒体が記録と再生の両機能を有していることである。本実施例によれば、従来のリスニング装置と同じように記録媒体を一つとすることが可能となり、第１の実施例にくらべコストアップが抑制される。さらに、録再用記録媒体１０の中の再生データは、再生開始時には１０ａの状態である。本実施の形態のリスニング装置では再生と同時に記録がなされるが、記録される場所を、再生データ１０ａうち現時点で再生の終了している上に順次上書きをしていくことで１０ｂのように変わっていく。全ての再生が終了したときには１０ｃに示すようにの全て記録データとなる。このように順次上書きをするように記録信号処理５によって録再用記録媒体１０を制御することで、記録の為の領域を別々に用意する必要がないため記録媒体の容量を増やさず、ひいてはコストの低減が可能である。
【実施例３】
【００１０】
図３は、本発明の第３の実施の形態に係る図である。図３を参照して、第２実施の形態と違うところは、比較処理１１を具備することにある。比較処理１１は再生される音声信号である信号３と、ヘッドホン内のマイク３からの音声信号である信号２の比較を行い、２つの音声信号が似かよっている度合いを出力する。左右の反対側のチャネルについても同じ比較を行い比較結果データを出力する。比較方法はスペクトラムを計算し比較する方法や、ファンダメンタルの周波数を比較するなどの方法があるがここでは詳しく述べない。記録信号処理５はこの比較処理の出力の比較結果データを入力し、録再用記録媒体１０に記録する。第１および第２実施例では、リスニング後に再生状態を調べるために記録された記録データを再生して人によって聞くことが必要であるが、本実施の形態によれば、記録されている比較結果データについて、所定の比較結果が得られたかどうかを機械判定することが可能になる。
【実施例４】
【００１１】
図４は、本発明の第４の実施の形態に係る図である。図４を参照して、第２実施の形態と違うところは、パイロット信号検出１３を具備することと、録再用記録媒体にあらかじめ記録してある再生データに、パイロット信号が重畳されていることとである。重畳されるパイロット信号は、人の耳には聞こえにくい音声ウォーターマークや、１０数ＫＨｚ以上の低レベルの高音信号などが考えられる。マイク３からの音声信号から、パイロット信号検出１３によってパイロット信号の状態を検出し、その状態検出結果データを記録信号処理５に入力し、録再用記録媒体１０に記録する。パイロット信号であれば、計算により正確に所定の判定することが可能になる。また、パイロット信号検出１３からは、パイロット信号の状態が所定の状態より悪化した場合の悪化フラグ信号をホールド１２に対して出力している。ホールド１２は一度でも悪化フラグ信号が入力されたら、ホールド１２の出力である信号１をホールドする。信号１のホールドの解除は、装置の電源ＯＮ時、リセット時、もしくは再度最初からリスニング再生される場合とするのがよい。信号１によりランプ１４を光らせれば、第３者がリアルタイムに再生に問題があったことを知ることができる。本実施の形態によれば、リスニング試験などでランプの点灯状態を試験官が把握できるので、試験官は適切な処置をとることができる。また、本実施の形態ではランプの位置および数をヘッドホン上の一個としたがこれに限らない。
【実施例５】
【００１２】
図５は、本発明の第５の実施の形態に係る図である。図５を参照して、第４実施の形態と違うところは、パイロット信号検出１３の出力である信号１を、再生信号処理１４に入力していることである。また、再生信号処理１４においては、信号１の入力により録再用記録媒体の再生データの読み出し位置を変化させる機能を具備することが第４実施の形態の再生信号処理８と違う。また、録再用記録媒体においては、異常時のアナウンスメッセージ、例えば「音声が正しく再生されませんでした。試験官に連絡ください」などをリスニング用の再生データと違う所定の場所に記録しておくことも違う。これらにより、信号１が異常値を示した場合、再生信号処理１４により、アナウンスメッセージが読み出されるように録再用記録媒体が制御され、ヘッドホンから異常時のアナウンスメッセージが聞こる。この様に本実施の形態によれば、受験者が異常を耳で知ることができる。また、上記実施の形態においては、ハードウエアで構成した場合について説明したが、これに限らず、ソフトウエアで構成してもよい。図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００１３】
産業上の利用可能性は、リスニング装置によるセンター試験があげられるが、それ以外もオーディオ装置や電話機など応用範囲は広い。
【図面の簡単な説明】
【００１４】
【図１】リスニング装置の実施方法を示した説明図である。
【図２】リスニング装置の実施方法を示した説明図である。
【図３】リスニング装置の実施方法を示した説明図である。
【図４】リスニング装置の実施方法を示した説明図である。
【図５】リスニング装置の実施方法を示した説明図である。
【図６】従来のリスニング装置の実施方法を示した説明図である。
【符号の説明】
【００１５】
１    ヘッドホン
２    スピーカ
３    マイク
４    ２チャネルマイクアンプ
５    記録信号処理
６    録音用記録媒体又は不揮発性メモリ
７    再生用記録媒体又は不揮発性メモリ
８    再生信号処理
９    スピーカアンプ
１０  録再用記録媒体又は不揮発性メモリ
１０ａ再生データ
１０ｂ記録データ・再生データ
１０ｃ記録データ
１１  比較処理
１２  ホールド
１３  パイロット信号検出
１４  ランプ
信号１
信号２
信号３
【図１】
2007208321.tif 000003
【図２】
2007208321.tif 000004
【図３】
2007208321.tif 000005
【図４】
2007208321.tif 000006
【図５】
2007208321.tif 000007
【図６】
2007208321.tif 000008